(57)【要約】      （修正有）【課題】硬化してしまった容器の内容物の除去を、完全かつ容易に、しかも素早く確実に行うことができ、硬化したコーキング材の除去を一挙にあますところなく行なってシーリングの作業を直ちに続行できる詰まり除去具を提供する。【解決手段】容器口部の内径よりわずか小さい外径を持つ円筒体の後端外周にハンドルを設け、円筒体の先端縁を切刃３に形成し、切刃の近傍における円筒体の内壁に、数個の爪４を段違いに突設した。【選択図】図１
0003203555.tif 000002
【実用新案登録請求の範囲】
【請求項１】
容器口部の内径よりわずか小さい外径を持つ円筒体の後端外周にハンドルを設け、円筒体の先端縁を切刃に形成し、切刃の近傍における円筒体の内壁に、数個の爪を段違いに突設した容器内容物の詰まり除去具。
【請求項２】
容器口部の内径よりわずか小さい外径を持つ円筒体の後端外周にハンドルを設け、円筒体の先端縁を切刃に形成し、切刃の近傍における円筒体の内壁に、数個の爪を段違いに突設した容器内容物の詰まり除去具と、前記円筒体または容器のノズルの内径よりわずか小さい外径をもつドリルにハンドルを取り付けたところの、円筒体内容物または容器のノズル内容物の詰まり除去具との組み合わせ、を特徴とする詰まり除去具。
【請求項３】
円筒体の長さを、コーキング材容器の口部から肩部にかけて硬化したコーキング材の硬化部分よりも、若干長くしたことを特徴とする請求項１または請求項２に記載の詰まり除去具。
【考案の詳細な説明】
【技術分野】
【０００１】  本考案は、硬化した容器などの内容物を除去する詰まり除去具に関する。
【背景技術】
【０００２】  硬化する内容物の一種である建築用シーリング材は、一般にコーキング材と呼ばれており、ノズルを装着したその容器はカートリッジとしてコーキングガンに取り付けられ、建物の防水や気密を保つために容器から押し出されて、建物の外壁や窓枠の継ぎ目や隙間などに充てんされる。
シーリング材には、シリコーン系、ポリウレタン系、変成シリコーン系、ポリサルファイト系、ウレタン系等の材質の物があるが、通常多くの現場で用いられているコーキング材は、常態ではペースト状になっており、充てん後に暫くすると硬化する。【０００３】  そのため、充てん作業を終え、ノズルを容器口部に付けたままにしておくと、ノズル内のコーキング材もまた硬化し始め、やがて硬化部分がノズルから容器の肩部の内側まで広がり、その後に引き続いて作業を続けようとしても、ペースト状のコーキング材を容器から押し出すことができなくなってしまう。
そして、容器の中に残った大量のペースト状コーキング材は、使用されることなく容器ごと廃棄されていた。【０００４】  容器内のペースト状のコーキング材を使い切れるようにした技術としては、株式会社エルヨン・コーポレーションが製造し、株式会社アルミス広島が市販している「エルヨンエコキャップ」がある。しかし、このものは、該キャップを使用後の容器の口部にピッタリと装着させ、容器内のペースト状コーキング材の表面と容器外の空気との接触を完全に断ち、ペースト状コーキング材の硬化が初めから起こらないようにしている。容器の口部又は口部から肩部にかけて硬化してしまったコーキング材を除去することによって、容器内のペースト状のコーキング材を使い切るようにした技術ではない。
なお、硬化した部分を除去する本考案に先立つ技術文献は見当たらない。
【考案の概要】
【考案が解決しようとする課題】
【０００５】  本考案の解決課題は、硬化してしまった容器の内容物の除去を、完全かつ容易に、しかも素早く確実に行うようにすることと、硬化したコーキング材の除去を一挙にあますところなく行なって、シーリングの作業を直ちに続行できるようにすることにある。
【課題を解決するための手段】
【０００６】  硬化してしまった容器の内容物の除去を、完全かつ容易に、しかも素早く確実に行うようにするため、本考案は特に次の手段を採用した。
容器口部の内径よりわずか小さい外径を持つ円筒体の後端外周にハンドルを設け、円筒体の先端縁を切刃に形成し、切刃の近傍における円筒体の内壁に、数個の爪を段違いに突設した。【０００７】  容器内容物の硬化部分の除去のみならず、前記の円筒体内容物または容器のノズル内容物の硬化部分の除去をも一挙に行ない、シーリングの作業を直ちに続行できるようにするため、本考案は特に、前記の手段に次の手段を組み合わせた。
前記円筒体または容器のノズルの内径よりわずか小さい外径をもつドリルに、ハンドルを取り付けた。【０００８】  容器内容物の詰まり除去具と、円筒体内容物または容器のノズル内容物の詰まり除去具とは、次のように組み合わされて使用している。
コーキング材のような硬化し易い内容物の使用においては、容器の硬化部分が除去できたとしても、共に使用される容器のノズル内に硬化部分が残っていれば、シーリング作業は続行できない。また、詰まり除去具の円筒体の中に硬化部分が残っていたならその詰まり除去具は使えなくなり、これも作業の続行の妨げになる。
したがって、ノズルを装着した容器の硬化部分の除去が常時必要になるシーリング作業等においては、容器内容物の詰まり除去具と円筒体内容物または容器のノズル内容物の詰まり除去具とは、同種の物品と目され、円筒体内容物または容器のノズル内容物の硬化部分を除去するという機能は、容器内容物の硬化部分を除去するという機能と同じであり、画者は外気に触れて硬化する硬化部分を除去して硬化していない部分をすべて利用できるようにするという点において、互いに関連した使用価値を生んでいる。【０００９】  硬化してしまったコーキング材の除去を、一挙にあますところなく行うようにするため、本考案は特に次の手段を採用した。
円筒体の長さを、コーキング材容器の口部から肩部にかけて硬化したコーキング材の硬化部分よりも若干長くした。
【考案の効果】
【００１０】  本考案は、如上の構成により次のような作業を可能にした。
円筒体の切刃を、ノズルを取り外した容器口部の硬化部表面に押し当て、押圧しながらハンドルを回すと、円筒体の先端縁に形成された切刃が硬化部分を切り裂き、円筒体が硬化部分内部へと進入していく。
硬化部分が容器の肩部の内側にまで及んでいる場合は、円筒体の長さをコーキング材容器の口部から肩部にかけて硬化したコーキング材の硬化部分よりも若干長くした詰まり除去具を用いる。これにより、切刃の上方に存在する内容物の硬化部分を一挙にあますところなく除去することができる。【００１１】  円筒体が十分に硬化部分に差し込まれたらそれを引き抜く。すると、円筒体の内側に入り込んだ硬化部分が、円筒体の内壁に突設された爪に引っ掛けられて、円筒体とともにすっぽりと抜き取られる。すなわち、硬化部分の除去が、完全かつ容易にしかも素早く確実に行われる。
円筒体の外径は容器口部の内径よりわずか小さいから、容器口部をふさいでいた詰まり部分は、ほとんどすべて抜き取られ、後の作業時におけるペースト状の内容物の流出は、極めてスムーズに行われる。【００１２】  切刃の近傍における円筒体の内壁に突設された爪は、段違いになっているため、円筒体が侵入していく際には、硬化部分の外周に段違いに切り込んでゆき、円筒体を引き抜く際には、硬化部分の下端にしっかり引っ掛かり円筒体とともに硬化部分を確実に引き上げすっぽりと抜き取ることに役立っている。【００１３】  前記の円筒体内容物または容器のノズル内容物の硬化部分の除去は、次のようにして行なわれる。
ドリルの先端を円筒体の硬化部分表面に押し当て（ハンドルは円筒体の後端外周に設けられているため、ドリルの先端は円筒体の上端面からも下端面からも、硬化部分表面に押し当てることができる）、押圧しながらハンドルを回すと、ドリルの山が硬化部分を切り裂きドリルが硬化部分内部へと進入していく。
ドリルが十分に硬化部分にねじ込まれたらそれを引き抜く。すると、硬化部分がドリルのネジ山に引っ掛けられてドリルとともにすっぽりと抜き取られる。
容器のノズル内容物の硬化部分の除去も同様にして行なわれる。
ドリルの外径は円筒体または容器のノズルの内径よりわずか小さいから、詰まり部分は、ほとんどすべて抜き取られる。
【図面の簡単な説明】
【００１４】
【図１】容器内容物の詰まり除去具の実施例で、（ａ）はその上端面図、（ｂ）はその正面図、（ｃ）は円筒体のＡ−Ａ断面図である。
【図２】円筒体内容物または容器のノズル内容物の詰まり除去具で、（ａ）はその上端面図、（ｂ）はその正面図である。
【考案を実施するための形態】
【００１５】  以下、本考案の実施の形態につき図を参照しながら説明する。
【実施例】
【００１６】  円筒体１の材質としては、滑り性と強度に優れシンナーなどの溶剤に強いポリアセタールが推奨される。
ハンドル２については、公知の各種形状の物が用いられるが、硬化部分の硬さ、使いやすさ、製作コスト等を勘案すると、図１の物が好ましい。
切刃３の形状の選定には注意を要する。内容物の性質によりその硬さ、粘り気等が一様でないためである。したがって、これらの点を特に考慮に入れなければならないが、コーキング材に対しては、図１のものが推奨される。【００１７】  爪４は切刃３の近傍における円筒体１の内壁に突設する。
その数は、３個以上でもよいが、コーキング材の硬化部分に対する切りこみ作用と引っ掛け作用とを効果的に行わせるには２個でよいことが、実験の結果確かめられた。【００１８】  円筒体１の外径は、容器の口部の内径よりも僅か小さいものとする。コーキング材容器についてみると、その口部の内径は市販品では、１５ｍｍ台であるからそれを目安にして適宜定める。
また、円筒体１の長さを、コーキング材容器の口部から肩部にかけて硬化したコーキング材の硬化部分よりも若干長くするときは、市販のコーキング材容器に関しては、その長さを最大で４５ｍｍ程度とすればよい。
【産業上の利用可能性】
【００１９】  本考案は、コーキング材など硬化して使えなくなってしまった容器内のペースト状の内容物の経済的利用とそれを使う諸作業の効率化等に役立つだけでなく、一般家庭における日曜大工の必需品などとしても広く利用できる。
【符号の説明】
【００２０】  １    円筒体
２    ハンドル
３    切刃
４    爪
５    ドリル
６    ドリルのハンドル
【図１】
0003203555.tif 000003
【図２】
0003203555.tif 000004